(57)【特許請求の範囲】
【請求項１】
電気信号を出力する１つのシーケンサに対して複数個接続された状態で使用される電磁弁マニホールドであって、
ソレノイド及び手動操作手段を備える電磁弁がマニホールドベース上に複数個連設され、前記各ソレノイドへの給電を一括してオン・オフするとともに他の電磁弁マニホールドに設けられた電磁弁のソレノイドへの給電をオン・オフしない一括遮断スイッチを設け、
前記マニホールドベースの一端側には、各電磁弁から引き出された配線と電気的に接続する集中コネクタ部を備える電装ブロックが配設され、その電装ブロックにおける前記集中コネクタ部の近傍に前記一括遮断スイッチが設けられていることを特徴とする電磁弁マニホールド。
【請求項２】
前記ソレノイドへの給電をオン・オフする個別遮断スイッチを前記ソレノイドごとに設けるとともに、それらの個別遮断スイッチを一箇所にまとめて配置したことを特徴とする請求項１に記載の電磁弁マニホールド。
【請求項３】
前記複数の個別遮断スイッチは、前記一括遮断スイッチの近傍に配置されていることを特徴とする請求項２に記載の電磁弁マニホールド。
【請求項４】
前記一括遮断スイッチは、前記各ソレノイドへの給電を一括してオンするオン位置と前記各ソレノイドへの給電を一括してオフするオフ位置との２位置に操作可能な操作つまみを備えたスライドスイッチであり、
前記一括遮断スイッチは開閉可能な保護カバーによって覆われており、前記保護カバーの内面には、該保護カバーが閉じた状態において前記操作つまみがオン位置からオフ位置へと移動することを規制する係止突起が突設されていることを特徴とする請求項１乃至３のいずれか１項に記載の電磁弁マニホールド。
【発明の詳細な説明】
【０００１】
【発明の属する技術分野】
本発明は、電磁弁マニホールドに関するものである。
【０００２】
【従来の技術】
従来、ソレノイド及び手動操作手段を備える電磁弁をマニホールドベース上に複数個連設した構造の電磁弁マニホールドが各種知られている。この種の電磁弁マニホールドは、通常、１つのシーケンサに対して複数個接続された状態で使用されることが多い。シーケンサからの信号が入力されているときには、ソレノイドが励磁されてオン状態となり、可動鉄心が非通電位置から通電位置へと変位する。その結果、電磁弁内の流路が切り換わるようになっている。また、手動操作手段を手動で操作することにより、流路切換用の主弁体を機械的に変位させることができるようになっている。
【０００３】
ところで、複数の電磁弁マニホールドのうちの特定のものの調整や点検を行いたい場合、当該電磁弁マニホールドの全ての電磁弁への入力信号をあらかじめ遮断しておき、各ソレノイドの作動を停止させておく必要がある。しかし、仮にシーケンサ自体の電源を切ってしまうと、他の電磁弁マニホールドへの入力信号も遮断されるため、システム全体の停止という事態を招いてしまう。
【０００４】
そこで、従来においては、下記のようなスイッチ付きの電磁弁マニホールドが提案されている。第１の従来技術としては、ソレノイドへの給電を個別にオン・オフするためのスイッチを、各電磁弁の単体にそれぞれ設けたものがある（特開平９−３１７９２９号公報参照）。第２の従来技術としては、そのようなスイッチを、マニホールドベースを構成する各弁ブロックの単体にそれぞれ設けたものがある（特開平９−３１７９３０号公報参照）。
【０００５】
【発明が解決しようとする課題】
ところが、上記従来技術の構成によると、特定の電磁弁マニホールドの全ての電磁弁への入力信号を遮断するためには、各電磁弁の単体に対応する複数のスイッチを全てオフしなければならない。従って、電磁弁の数が多くなった場合や、ダブルソレノイドタイプの電磁弁を使用したような場合には、スイッチ操作作業が極めて面倒で煩雑になるという問題があった。また、特定の電磁弁マニホールドを緊急に停止したいような場合に対応できないという問題もあった。
【０００６】
さらに、電磁弁や弁ブロックの単体にスイッチを設けようとすると、スイッチの位置が必然的にソレノイド側に限定されてしまう。よって、電磁弁マニホールドの設置の仕方によっては、スイッチ操作が困難になる場合があるという問題があった。
【０００７】
本発明は上記の課題に鑑みてなされたものであり、その目的は、作業性及び操作性に優れた電磁弁マニホールドを提供することにある。
【０００８】
【課題を解決するための手段】
上記の課題を解決するために、請求項１に記載の発明では、電気信号を出力する１つのシーケンサに対して複数個接続された状態で使用される電磁弁マニホールドであって、ソレノイド及び手動操作手段を備える電磁弁がマニホールドベース上に複数個連設され、前記各ソレノイドへの給電を一括してオン・オフするとともに他の電磁弁マニホールドに設けられた電磁弁のソレノイドへの給電をオン・オフしない一括遮断スイッチを設け、前記マニホールドベースの一端側には、各電磁弁から引き出された配線と電気的に接続する集中コネクタ部を備える電装ブロックが配設され、その電装ブロックにおける前記集中コネクタ部の近傍に前記一括遮断スイッチが設けられていることを特徴とする電磁弁マニホールドをその要旨とする。
【００１０】
請求項２に記載の発明は、請求項１において、前記ソレノイドへの給電をオン・オフする個別遮断スイッチを前記ソレノイドごとに設けるとともに、それらの個別遮断スイッチを一箇所にまとめて配置するとした。
【００１１】
請求項３に記載の発明は、請求項２において、前記複数の個別遮断スイッチは、前記一括遮断スイッチの近傍に配置されているとした。
請求項４に記載の発明は、請求項１乃至３のいずれか１項において、前記一括遮断スイッチは、前記各ソレノイドへの給電を一括してオンするオン位置と前記各ソレノイドへの給電を一括してオフするオフ位置との２位置に操作可能な操作つまみを備えたスライドスイッチであり、前記一括遮断スイッチは開閉可能な保護カバーによって覆われており、前記保護カバーの内面には、該保護カバーが閉じた状態において前記操作つまみがオン位置からオフ位置へと移動することを規制する係止突起が突設されているとした。
【００１２】
以下、本発明の「作用」について説明する。
各請求項に記載の発明によると、一括遮断スイッチを１つだけ操作することにより各ソレノイドへの給電を一括してオン・オフすることができるため、従来とは異なり、各電磁弁の単体に対応する複数のスイッチの操作が不要になる。
従って、電磁弁の数の多少や電磁弁のタイプの如何にかかわらず、スイッチ操作作業を簡単に行うことができるため、作業性が向上する。また、電磁弁や弁ブロックの単体に複数のスイッチを設けた構成とは異なり、スイッチの設置位置に制約を受けにくく、設置自由度が大きくなる。従って、スイッチ操作が困難になるようなこともなく、操作性が向上する。
【００１３】
また、一括遮断スイッチを電磁弁側やマニホールドベース側ではなく電装ブロック側に設けたことにより、同スイッチの設置スペースを比較的簡単に確保することが可能となる。また、電磁弁やマニホールドベースの構成の煩雑化が回避されるとともに、それに付随して同スイッチの不用意な操作を未然に防ぐことができる。
【００１４】
さらに、一括遮断スイッチを集中コネクタ部の近傍に配置しているため、作業者にとって操作しやすくなる。
請求項２に記載の発明によると、個別遮断スイッチを操作することによってソレノイドごとに給電をオン・オフすることができる。また、それらの個別遮断スイッチは一箇所にまとめて配置されているので、作業者にとって操作しやすくなり、しかも各個別遮断スイッチの切換状態の目視確認が容易になる。
【００１５】
請求項３に記載の発明によると、複数の個別遮断スイッチを一括遮断スイッチの近傍に配置しているため、作業者にとって操作しやすくなり、しかもこれらのスイッチの切換状態の目視確認が容易になる。
【００１６】
請求項４に記載の発明によると、保護カバーによって一括遮断スイッチが覆われることで同スイッチが外部に露出しなくなるため、スイッチの不用意な操作を確実に防ぐことができる。
【００１７】
【発明の実施の形態】
［第１の実施形態］
以下、本発明を具体化した一実施形態のスイッチ付き電磁弁マニホールド１を図１〜図６に基づき詳細に説明する。
【００１８】
図１等に示されるように、本実施形態の電磁弁マニホールド１は、複数の（ここでは７つの）弁ブロック２を備えている。これらの弁ブロック２は、部品取付具としてのＤＩＮレール３上にて連設されることにより、１つのマニホールドベース４を構成している。各々の弁ブロック２の上面には電磁弁５が搭載されている。
【００１９】
ＤＩＮレール３上において前記マニホールドベース４の一端側（図１，図２の右端側）には、第１のエンドブロック６が配置されている。 ＤＩＮレール３上において前記マニホールドベース４の他端側（図１，図２の左端側）には、給排気ブロック７、第２のエンドブロック８及び電装ブロック９がこの順序で配置されている。なお、これらのブロック２，７，８，９は一対の固定金具１０を用いてＤＩＮレール３に固定されている。
【００２０】
給排気ブロック７及び各弁ブロック２において同じ箇所には、図示しない貫通孔が複数形成されている。その結果、給排気ブロック７及び各弁ブロック２の内部を貫通し、かつ前記ＤＩＮレール３の長手方向に沿って延びる図示しない複数の共通流路が形成されている。それに対し、仕切板としての機能を担う第１及び第２のエンドブロック６，８には、このような貫通孔は形成されていない。
【００２１】
給排気ブロック７の正面側には、前記共通流路に連通する一対の集中配管用ポート１２，１３が上下に配置されている。これらのポート１２，１３に流体供給源からエア等の流体を給排することにより、弁ブロック２側に流体が分配されるようになっている。各弁ブロック２の正面側には、エアシリンダ等の流体圧アクチュエータに接続されるＡポート１５及びＢポート１６が上下１つずつ形成されている。本実施形態では、Ａポート１５及びＢポート１６の部分に、いわゆるインスタント形継手（ワンタッチ管継手）が使用されている。
【００２２】
本実施形態における電磁弁５は、いわゆる２位置５ポートの電磁弁となっている。図示しない前記５つのポートは、電磁弁５の下部側に形成されている。これらのポートのうちの３つは弁ブロック２側の前記共通流路にそれぞれ連通しており、残りの２つはＡポート１５及びＢポート１６にそれぞれ連通している。図３に示されるように、電磁弁５内の略中央部には、主弁としてのスプール１７が横置きに収容されるとともに、その両側または片側にはソレノイド１８が収容されている。本実施形態の場合、図１の最右端に位置する電磁弁５のみがシングルソレノイドタイプであって、他の６つの電磁弁５はダブルソレノイドタイプとなっている。つまり、本実施形態の電磁弁マニホールド１においては、ソレノイド１８が合計１３個使用されている。
【００２３】
そして、ソレノイド１８に電気が流れると、ソレノイド１８が励磁されてオン状態となり、可動鉄心が非通電位置から通電位置へと変位する。その結果、電磁弁５内のパイロット流路が切り換わって、スプール１７の両端における圧力バランス関係が変化する。その結果、スプール１７が所定の切換位置に変位し、前記複数のポート間の連通状態が切り換わるようになっている。
【００２４】
また、スプール１７とソレノイド１８との間には、手動操作手段１９が配置されている。棒状をした手動操作手段１９は、電磁弁５の縦方向に沿って出没可能な状態で挿通されている。手動操作手段１９が没入されると、流路が開いて加圧エアがスプール１７の端面側に供給される。その結果、エアの圧力が作用してスプール１７が押圧されることにより、スプール１７が自身の長手方向に沿って変位するようになっている。即ち、このような手動操作手段１９によれば、スプール１７を電気信号に頼らず機械的に変位させることができる。なお、この手動操作手段１９の上端面は、蓋２０によって常には覆われている。
【００２５】
図４，図５に示されるように、本実施形態の電装ブロック９は、電装ブロック本体２１、電装ブロックカバー２２、中継基板２３、集中コネクタ部としてのフラットケーブルコネクタ２４等によって構成されている。
【００２６】
電装ブロック本体２１の下面中央部には、ＤＩＮレール３への取り付けの便宜を図るために切欠凹部２５が形成されている。このような電装ブロック本体２１の左側面には、電装ブロックカバー２２がネジ２６によって取り付けられている。中継基板２３は、電装ブロック本体２１と電装ブロックカバー２２とによって形成される内部空間に収容されている。なお、中継基板２３におけるめすコネクタ２９の端子Ｔ１は、図６にて概略的に示されている。フラットケーブルコネクタ２４は、９０°回動可能な状態で電装ブロックカバー２２の上面に取り付けられている。このフラットケーブルコネクタ２４には、シーケンサからの電気信号を伝達するための図示しないフラットケーブルが装着される。フラットケーブルコネクタ２４の一端側にあるソケット部分には、複数のＩ／ＯピンＰ１が突設されている（図６参照）。本実施形態では、２０ピンタイプのフラットケーブルコネクタ２４が使用されている。これらのＩ／ＯピンＰ１は、複数の配線２７からなるフラットハーネスを介して中継基板２３側のめすコネクタ２９に電気的に接続されている。なお、図６の内部回路図に示されるように、この中継基板２３に対しては、各ソレノイド１８から引き出された配線もそれぞれ接続されている。
前記配線２７のなかにはコモン線２７Ａが含まれている。
【００２７】
図３，図４等に示されるように、この電磁弁マニホールド１は、一括遮断スイッチ３１を備えている。ここでは、水平方向かつ２位置に操作可能な操作つまみ３３を備えた、いわゆるスライドスイッチが使用されている。図６の内部回路図に示されるように、一括遮断スイッチ３１は前記コモン線２７Ａ上に設けられている。従って、この一括遮断スイッチ３１を操作することにより、コモン線２７Ａが通断されるようになっている。
【００２８】
一括遮断スイッチ３１は、具体的には電装ブロック９に設けられている。より具体的にいうと、一括遮断スイッチ３１はフラットケーブルコネクタ２４と同じく電装ブロック９の上面に、かつフラットケーブルコネクタ２４の近傍に配置されている。
【００２９】
電装ブロック９の上面中央部には一括遮断スイッチ３１を収容可能な大きさの貫通部３２が形成され、そこには前記一括遮断スイッチ３１が収容されている。電装ブロック９の上面においてこの貫通部３２に対応した箇所には、孔３４が設けられている。この孔３４からは、操作つまみ３３が突出している。この孔３４の両脇には、固定用のねじ３６が挿通可能なねじ挿通孔３５が形成されている。これらのねじ挿通孔３５に挿通された各ねじ３６は、一括遮断スイッチ３１側に設けられた各六角ナット３７に対して螺着されている。その結果、一括遮断スイッチ３１が電装ブロック９に固定されている。前記ねじ挿通孔３５のさらに両脇には、「ＯＮ」「ＯＦＦ」という文字からなる表示部３８が形成されている。このような表示部３８は、電装ブロック９の上面に対する直接印刷により形成されてもよいほか、印刷の施されたシールを貼ること等により間接的に形成されてもよい。
【００３０】
図６の内部回路図においては、説明の便宜上、めすコネクタ２９の端子Ｔ１及びフラットケーブルコネクタ２４のＩ／ＯピンＰ１につき、個々に１番〜２０番のナンバーが付与されている。基本的に同じ番号の端子Ｔ１及びＩ／ＯピンＰ１同士は、配線２７によって電気的に接続されている。また、ソレノイド１８に対しても、説明の便宜上、１ａ番〜７ａ番という１３種のナンバーが付与されている。なお、７ｂ番がないのは、上述したとおりシングルソレノイドタイプの電磁弁５が１つ含まれているからである。
【００３１】
この図によると、例えば１番の端子Ｔ１及びＩ／ＯピンＰ１に対応する配線２７は１ａ番のソレノイド１８に接続され、２番の端子Ｔ１及びＩ／ＯピンＰ１に対応する配線２７は１ｂ番のソレノイド１８に接続されていることがわかる。
【００３２】
また、３番の端子Ｔ１及びＩ／ＯピンＰ１に対応する配線２７は２ａ番のソレノイド１８に接続され、４番の端子Ｔ１及びＩ／ＯピンＰ１に対応する配線２７は２ｂ番のソレノイド１８に接続されていることがわかる。
【００３３】
さて、１つのシーケンサに上記構成の電磁弁マニホールド１が複数接続されていると仮定し、そのうちの特定のものにつきメインテナンスを行うような場合を想定する。
【００３４】
この場合、メインテナンスを必要とする特定の電磁弁マニホールド１については、シーケンサからの入力信号を絶っておく必要がある。本実施形態においては、ここで一括遮断スイッチ３１の操作つまみ３３をスライドさせて、一括遮断スイッチ３１をオン状態からオフ状態に切り換える。すると、コモン線２７Ａが遮断される結果、いずれのソレノイド１８に対しても給電がなされなくなる。つまり、全ソレノイド１８への給電が一括遮断される。なお、メインテナンスを必要としない他の電磁弁マニホールド１については、依然としてシーケンサからの入力信号があるため、それらの動作は維持される。
【００３５】
メインテナンスを必要とする特定の電磁弁マニホールド１が停止状態になったら、蓋２０を開けて手動操作手段１９を露出させる。そして、手動操作手段１９を押圧操作すること等により、個々の電磁弁５の調整や点検を行う。
【００３６】
このような作業が終了したら、手動操作手段１９を引き上げ、再び蓋２０を閉じる。それとともに、操作つまみ３３を反対方向にスライドさせて、一括遮断スイッチ３１をオフ状態からオン状態に切り換える。すると、コモン線２７Ａが連通される結果、全てのソレノイド１８が一括給電され、メインテナンスを終えた電磁弁マニホールド１が再び動作を開始する。
【００３７】
従って、本実施形態によれば以下のような効果を得ることができる。
（１）本実施形態の電磁弁マニホールド１は、一括遮断スイッチ３１を備えている。従って、その一括遮断スイッチ３１を１つだけ操作することにより、各ソレノイド１８への給電を一括してオン・オフすることができる。このため、従来とは異なり、各電磁弁５の単体に対応する複数のスイッチの操作が不要になる。従って、電磁弁５の数の多少や電磁弁５のタイプの如何にかかわらず、スイッチ操作作業を簡単に行うことができる。ゆえに、作業性に優れた電磁弁マニホールド１を実現することができる。
【００３８】
（２）この電磁弁マニホールド１の場合、電磁弁５や弁ブロック２の単体に複数のスイッチを設けた従来構成とは異なり、スイッチの設置位置に制約を受けにくく、設置自由度が大きくなる。つまり、本実施形態の一括遮断スイッチ３１は、必ずしもソレノイド１８の近傍に設けられる必然性はないからである。従って、電磁弁マニホールド１の正面または背面に壁等があるような設置の仕方を採用した場合であっても、壁が邪魔になって一括遮断スイッチ３１の操作が困難になるようなこともない。ゆえに、操作性に優れた電磁弁マニホールド１を実現することができる。
【００３９】
（３）また、本実施形態のようなスイッチ付き電磁弁マニホールド１を使用すれば、複数の電磁弁マニホールド１が１つのシーケンサに接続されていたとしても、特に不都合は生じない。つまり、一括遮断スイッチ３１の操作のみによって特定の電磁弁マニホールド１への給電を絶つことができるからである。このため、シーケンサ自体の電源を切らなくてもよくなり、しかも他の電磁弁マニホールド１の動作状態を維持することができる。従って、電磁弁マニホールド１によって駆動される流体圧アクチュエータの全面停止を回避することができ、装置の稼働効率の低下を防止することができる。
【００４０】
（４）この電磁弁マニホールド１では、一括遮断スイッチ３１が、電磁弁５側やマニホールドベース４側ではなく電装ブロック９側に設けられている。ゆえに、従来技術に比べて、一括遮断スイッチ３１の設置スペースを比較的簡単に確保することが可能となる。即ち、電磁弁５側やマニホールドベース４側は、手動操作つまみ１９、蓋２０、Ａポート１５、Ｂポート１６、及びそれらに接続される図示しない配管等の存在により混み合っているからである。これに対して、電装ブロック９側はそれほど混み合っていないからである。勿論、本実施形態によれば、電磁弁５やマニホールドベース４の構成の煩雑化も同時に回避される。しかも、それに付随して一括遮断スイッチ３１の不用意な操作を未然に防ぐことができる。
【００４１】
（５）この電磁弁マニホールド１では、一括遮断スイッチ３１をフラットケーブルコネクタ２４の近傍に配置しているため、作業者にとって操作しやすい構造となっている。
［第２の実施形態］
次に、本発明を具体化した第２実施形態のスイッチ付き電磁弁マニホールド５１を図７〜図９に基づいて説明する。ここでは第１実施形態と相違する点を主に述べ、共通する点については同一部材番号を付すのみとしてその説明を省略する。
【００４２】
この電磁弁マニホールド５１では給排気ブロック７の位置が異なっている。即ち、給排気ブロック７がマニホールドベース４と第１のエンドブロック６との間に介在されている。第１実施形態のときよりも弁ブロック２及び電磁弁５の連数が多くなっていて、ともに１６連になっている。使用されている電磁弁５のタイプは、いずれもシングルソレノイドタイプとなっている。
【００４３】
この電磁弁マニホールド５１は、さらに強制出力ユニット５２を備えている。強制出力ユニット５２を構成するユニット本体５７は、可撓性を有する四角箱状の樹脂成形品である。ユニット本体５７の下面中央部には、ＤＩＮレール３への取り付けの便宜を図るために切欠凹部が形成されている。従って、ユニット本体５７は、ＤＩＮレール３に対して固定具等を用いることなく着脱可能となっている。
【００４４】
図８に示されるように、ユニット本体５７の上面には、１つの一括遮断スイッチ３１、複数の個別遮断スイッチ５３、ヒューズ５４、電源端子台５５、出力用フラットケーブルコネクタ５９、入力用フラットケーブルコネクタ６０が配設されている。即ち、これらの部材３１，５３，５４，５５，６０は、同じ面において近接して配置されている。ユニット本体５７の四隅に支持柱５７ａが突設されており、それらの支持柱５７ａには透明な保護カバー５６が着脱可能状態で支持されている。その結果、これらの部材３１，５３，５４，５５，６０が保護カバーによって覆われることにより保護されている。
【００４５】
ユニット本体５７側の入力用フラットケーブルコネクタ６０と、電装ブロック９側のフラットケーブルコネクタ２４とは、フラットケーブル５８を介して電気的に接続されている。フラットケーブル５８を構成する配線２７のうち、特にコモン線については、第１実施形態と同様に２７Ａが付されている（図９の内部回路図を参照）。なお、各フラットケーブルコネクタ２４，５９，６０に付されたピン番号同士は、基本的にほぼ対応し合っている。また、入力用フラットケーブルコネクタ６０のＩ／ＯピンＰ２、及び出力用フラットケーブルコネクタ５９のＩ／ＯピンＰ３の数は、ともに２０本になっている。
【００４６】
図６に示されるように、両フラットケーブルコネクタ５９，６０間をつなぐコモン線２７Ａ上には、過電流からの保護のためのヒューズ５４、図示しない外部電源を接続するための電源端子台５５、一括遮断スイッチ３１が直列に接続されている。
【００４７】
本実施形態の一括遮断スイッチ３１は、接触子を３つ有している。第１接触子は各個別遮断スイッチ５３側に接続されている。第２接触子は電源端子台５５のマイナス側に接続されている。第３接触子は出力用フラットケーブルコネクタ５９における９番及び１９番のＩ／ＯピンＰ３に接続されている。
【００４８】
従って、第１接触子−第２接触子間が閉じられると、電源端子台５５側と各個別遮断スイッチ５３側とが接続する。その結果、各個別遮断スイッチ５３へ電力が供給されるようになっている。このとき、フラットケーブルコネクタ５９，６０間をつなぐコモン線２７Ａは遮断され、いわばオフ状態となる。
【００４９】
また、第２接触子−第３接触子間が閉じられると、フラットケーブルコネクタ５９，６０間がコモン線２７Ａを介して電気的に接続され、コモン線２７Ａがいわばオン状態となる。
【００５０】
また、この一括遮断スイッチ３１のすぐ脇には、「手動」「自動」という文字からなる表示部３８が形成されている。このような表示部３８は、電装ブロック９の上面に対する直接印刷により形成されてもよいほか、印刷の施されたシールを貼ること等により間接的に形成されてもよい。なお、「手動」はコモン線２７Ａが遮断されたオフ状態に対応し、「自動」はコモン線２７Ａがつながったオン状態に対応している。
【００５１】
本実施形態においては、ソレノイド１８への給電をオン・オフする個別遮断スイッチ５３がソレノイド１８ごとに設けられている。つまり、１６個あるソレノイド１８に対応して同数の個別遮断スイッチ５３が設けられている。個別遮断スイッチ５３は、２列横隊となるようにレイアウトされている。個別遮断スイッチ５３は一箇所にまとめて配置されるとともに、一括遮断スイッチ５３の近傍に配置されている。個別遮断スイッチ５３からなる列のすぐ脇には、「自動」「手動ＯＮ」という文字からなる表示部３８が形成されている。また、各個別遮断スイッチ５３の上側には、ソレノイド１８に対応する番号が付されている。
【００５２】
これらの個別遮断スイッチ５３は、接触子を３つ有している。第１接触子は出力用フラットケーブルコネクタ５９のＩ／ＯピンＰ３に接続されている。第２接触子は一括遮断スイッチ３１の第１接触子に接続されている。第３接触子は入力用フラットケーブルコネクタ６０のＩ／ＯピンＰ２に接続されている。
【００５３】
従って、第１接触子−第２接触子間が閉じられると、フラットケーブルコネクタ５９，６０のＩ／ＯピンＰ３，Ｐ２間が電気的に接続され、いわばオン状態となる。なお、個別遮断スイッチ５３に付された「自動」は、この状態に対応している。そして、このとき一括遮断スイッチ３１がオン状態に切り換えられているとすると、各ソレノイド１８にシーケンサから電気信号及び電力が供給される。
従って、各電磁弁５はその入力された信号に従って駆動される。
【００５４】
また、第２接触子−第３接触子間が閉じられると、フラットケーブルコネクタ５９，６０のＩ／ＯピンＰ３，Ｐ２間の導通が絶たれ、いわばオフ状態となる。その代わりに、一括遮断スイッチ３１がオフ状態に切り換えられていた場合には、電源端子台５５側と各個別遮断スイッチ５３側とが接続する。その結果、各個別遮断スイッチ５３を経て各ソレノイド１８へ電力が供給される。なお、個別遮断スイッチ５３に付された「手動ＯＮ」は、この状態に対応している。
【００５５】
次に、このように構成された電磁弁マニホールド５１の使用方法について説明する。
自動運転モードでは、あらかじめ一括遮断スイッチ（メインスイッチ）３１及び全ての個別遮断スイッチ５３を「自動」に切り換えておく。この場合、独自の電源を備えるシーケンサは、シーケンサ側の接点の開閉により、電磁弁マニホールド５１に対して電気信号を出力するようになっている。従って、このときには電磁弁マニホールド５１の各電磁弁５は自動運転を行う。
【００５６】
手動操作を行いたい場合には、まず一括遮断スイッチ３１を「手動」に切り換える。すると、電磁弁マニホールド５１の回路が一括してオフ状態となり、シーケンサ側からの給電が絶たれる。この状態で、さらに特定の個別遮断スイッチ５３を「手動ＯＮ」に切り換えれば、対応するソレノイド１８のみを個別にオンすることができる。このとき、電源端子台５５に接続された図示しない外部電源から回路に電力が供給される。よって、オン動作しているソレノイド１８に対応する電磁弁５のランプ（図示略）が点灯し、そのソレノイド１８が動作していることが認識可能となる。一方、「自動」に切り換えられている個別遮断スイッチ５３に対応するソレノイド１８については、前記外部電源から電力が供給されなくなる。従って、給電停止状態にある当該ソレノイド１８に対応する蓋２０を開け、手動操作手段１９を適宜押圧操作すること等により、調整、点検作業を行うことができる。
【００５７】
従って、本実施形態によれば、前記第１の実施形態における上記（１）（２）（３）に記載の効果に加えて、以下のような効果を得ることができる。
（４）この電磁弁マニホールド５１では、複数の個別遮断スイッチ５３をソレノイド１８ごとに設けるとともに、それらを一箇所にまとめて配置している。従って、個別遮断スイッチ５３を操作することによってソレノイド１８ごとに給電をオン・オフすることができる。また、それらの個別遮断スイッチ５３は一箇所にまとめて配置されているので、作業者にとって操作しやすくなり、しかも各個別遮断スイッチ５３の切換状態の目視確認を容易に行うことができる。
【００５８】
また、これらの個別遮断スイッチ５３は、混み合っている電磁弁５側やマニホールドベース４側ではなく、強制出力ユニット５２側に設けられている。ゆえに、スイッチ設置スペースを比較的簡単に確保することが可能となる。
【００５９】
（５）複数の個別遮断スイッチ５３は、一括遮断スイッチ３１の近傍に配置されている。従って、作業者にとって操作しやすくなり、しかもこれらのスイッチ３１，５３の切換状態の目視確認を容易に行うことができる。
【００６０】
（６）この電磁弁マニホールド５１では、スイッチ３１，５３等が保護カバー５６によって覆われている。従って、スイッチ３１，５３が外部に露出しなくなり、スイッチ３１，５３の不用意な操作を確実に防ぐことができる。
【００６１】
なお、本発明の実施形態は以下のように変更してもよい。
・  図１０に示される別例のように、第１実施形態の電磁弁マニホールド１の電装ブロック９に保護カバー６１を設け、その保護カバー６１により一括遮断スイッチ３１を覆うようにしてもよい。このような保護カバー６１があると、一括遮断スイッチ３１が覆われることで外部に露出しなくなる。このため、一括遮断スイッチ３１の不用意な操作を確実に防ぐことができる。保護カバー６１は透明ないし半透明であることがよい。
【００６２】
この保護カバー６１の基端部６５は、電装ブロック９の上面に設けられた固定部６６に対して１８０°ほど回動可能に軸支されている。保護カバー６１の先端部内面側には係止部６３が屈曲形成されている。電装ブロック９の上面において係止部６３に対応する位置には、係止スリット６４が形成されている。この係止スリット６４の下部開口縁に係止部６３が係止することにより、保護カバー６１が完全に閉じた状態で電装ブロック９に保持されるようになっている。保護カバー６１の内面には係止突起６２が突設されている。一括遮断スイッチ３１が「ＯＦＦ」側にあるときには、係止突起６２が邪魔になり、係止突起６２の下面が操作つまみ３３の上面に当接してしまう。従って、保護カバー６１を完全に閉じることができなくなる。一方、一括遮断スイッチ３１が「ＯＮ」側にあるときには、係止突起６２が邪魔にならず、係止突起６２の下面が操作つまみ３３の上面に当接しなくなる。従って、保護カバー６１を完全に閉じることが可能となる。そして、この状態で保護カバー６１を完全に閉じておけば、操作つまみ３３の「ＯＮ」位置から「ＯＦＦ」位置への移動が規制される。ゆえに、自動運転時において保護カバー６１を完全に閉じておけば、一括遮断スイッチ３１が誤ってオフするようなことが起こらなくなる。
【００６３】
・  一括遮断スイッチ３１は第１実施形態のようなスライドスイッチに限定されることはなく、例えばプッシュスイッチ等のような異なるタイプのスイッチを使用してもよい。
【００６４】
・  電装ブロック９において、一括遮断スイッチ３１の設置位置は上面に限られず、側面であってもよい。
・  一括遮断スイッチ３１は、電装ブロック９以外の場所にあってもよく、例えば、エンドブロック６，８や給排ブロック７、さらには電磁弁５や弁ブロック２にあってもよい。
【００６５】
・  電装ブロック９や強制出力ユニット５２における集中コネクタ部は、前記実施形態にて示したフラットケーブルコネクタ２４，５９，６０に限定されることはなく、例えばＤサブコネクタであってもよい。また、集中コネクタ部の代わりに集中端子台等を設けてもよい。さらには、集中コネクタ部を省略した構成にすることも可能である。
【００６６】
・  前記各実施形態において示したような複数の弁ブロック２からなるマニホールドベース４に代えて、１つのブロックからなる一体型のマニホールドベースを採用してもよい。
【００６７】
・  手動操作手段１９は、前記実施形態のような出没動作により流路を切り換えるタイプのみに限定されない。例えば、下端部にカムを有する棒状の手動操作手段を採用し、それを電磁弁５の縦方向に沿って回動可能に挿通することにより、前記カムを当接させてスプール１７を変位させてもよい。
【００６８】
次に、前述した実施形態によって把握される技術的思想を以下に列挙する。
（１）前記複数の個別遮断スイッチ及び前記一括遮断スイッチは、部品取付具上に着脱可能な構造を有する強制出力ユニットに設けられていること。
【００６９】
（２）強制出力ユニットには外部電源を接続可能な端子構造が設けられていること。
（３）前記保護カバーは、前記一括遮断スイッチの操作つまみの移動を規制する規制手段を有すること。従って、この構成によれば、自動運転時における不用意なスイッチオフを確実に防止することができる。
【００７０】
（４）前記規制手段は前記保護カバーの内側面に突設され、前記操作つまみに対して係止可能な係止突起であること。
【００７１】
【発明の効果】
以上詳述したように、各請求項に記載の発明によれば、作業性及び操作性に優れた電磁弁マニホールドを提供することができる。
【００７２】
また、スイッチ設置スペースの確保が比較的簡単になるとともに、電磁弁やマニホールドベースの構成の煩雑化を回避することができる。
【００７３】
さらに、より作業性に優れたものとすることができる。
請求項２、３に記載の発明によれば、より作業性に優れたものとすることができ、しかもスイッチ切換状態の目視確認を容易に行うことができるようになる。
【００７４】
請求項４に記載の発明によれば、一括遮断スイッチの不用意な操作を確実に防ぐことができる。
【図面の簡単な説明】
【図１】本発明を具体化した第１実施形態の電磁弁マニホールドの平面図。
【図２】同電磁弁マニホールドの正面図。
【図３】同電磁弁マニホールドの右側面図。
【図４】同電磁弁マニホールドにおける電装ブロックの側面図。
【図５】同電装ブロックの分解平面図。
【図６】同電磁弁マニホールドの内部回路図。
【図７】（ａ）は第２実施形態の電磁弁マニホールドの平面図、（ｂ）はその正面図。
【図８】同電磁弁マニホールドにおける強制出力ブロックの平面図。
【図９】同電磁弁マニホールドの内部回路図。
【図１０】別例の電装ブロックの側面図。
【符号の説明】
１，５１…電磁弁マニホールド、４…マニホールドベース、５…電磁弁、９…電装ブロック、１８…ソレノイド、１９…手動操作手段、２４…集中コネクタ部としてのフラットケーブルコネクタ、２７，２７Ａ…配線、３１…一括遮断スイッチ、５３…個別遮断スイッチ、５６，６１…保護カバー。
【図１】
0004585655.tif 000002
【図２】
0004585655.tif 000003
【図３】
0004585655.tif 000004
【図４】
0004585655.tif 000005
【図５】
0004585655.tif 000006
【図６】
0004585655.tif 000007
【図７】
0004585655.tif 000008
【図８】
0004585655.tif 000009
【図９】
0004585655.tif 000010
【図１０】
0004585655.tif 000011